(57)【要約】【課題】  二種類のカードを同時に装着できると共に占有空間が最小化されるようにカード装着ソケット及び移動通信端末機の構造を改善すること。【解決手段】  本発明のカード装着ソケットは、移動通信端末機の本体のメインボードに実装されるソケットボディー；ソケットボディーの一面上に突出し、スマートカードとメインボードとを連結する第１端子；ソケットボディーの一面上に突出し、第１端子と離隔するように配置され、メモリカードとメインボードとを連結する第２端子を含む。本発明の移動通信端末機の本体には、一面に備えられ、スマートカードが嵌め込まれる第１装着部；及び第１装着部と連通するように第１装着部の下部に備えられ、メモリカードが嵌め込まれる第２装着部が備えられるか、一面に備えられ、スマートカードが嵌め込まれる第１装着部；及び第１装着部と並列に一面に備えられ、メモリカードが嵌め込まれる第２装着部が備えられる。【選択図】  図２
2006059344.tif 000002
【特許請求の範囲】
【請求項１】
移動通信端末機の本体のメインボードに実装されるソケットボディー；
前記ソケットボディーの一面上に突出し、スマートカードと前記メインボードとを連結する第１端子；
前記ソケットボディーの前記一面上に突出し、前記第１端子と離隔するように配置され、メモリカードと前記メインボードとを連結する第２端子を含んでなることを特徴とする移動通信端末機のカード装着ソケット。
【請求項２】
前記第１端子と第２端子は、それぞれ移動通信端末機のバッテリパックが取り付けられる前記本体の一面に露出されることを特徴とする請求項１に記載の移動通信端末機のカード装着ソケット。
【請求項３】
前記第１端子と第２端子は、前記メモリカードが前記ソケットボディー上に装着され、前記スマートカードが前記メモリカードを覆った状態で前記ソケットボディー上に装着され得るように相互の距離が近く配置されることを特徴とする請求項１に記載の移動通信端末機のカード装着ソケット。
【請求項４】
前記第１端子と第２端子は、前記メモリカードと前記スマートカードが前記ソケットボディー上に並列に装着され得るように相互の距離が遠く配置されることを特徴とする請求項１に記載の移動通信端末機のカード装着ソケット。
【請求項５】
一面に備えられ、スマートカードが嵌め込まれる第１装着部、そして前記第１装着部と連通するように前記第１装着部の下に備えられ、メモリカードが嵌め込まれる第２装着部とを含む本体；
前記本体に分離可能に装着されるバッテリパック；
前記本体の内部に備えられるメインボード；
前記第１装着部に露出され、前記スマートカードと接触する第１端子と、前記第２装着部に露出され、前記メモリカードと接触する第２端子とを含み、前記メインボードに実装されるカード装着ソケットを含んでなることを特徴とする移動通信端末機。
【請求項６】
前記第１装着部は、前記本体の前記一面に凹むように形成された溝を含んでなることを特徴とする請求項５に記載の移動通信端末機。
【請求項７】
前記第２装着部は、前記第１装着部の底面に凹むように形成された溝を含んでなることを特徴とする請求項５又は請求項６に記載の移動通信端末機。
【請求項８】
前記第１装着部の深さは前記スマートカードの厚さと同一で、前記第２装着部の深さは前記メモリカードの厚さと同一であることを特徴とする請求項７に記載の移動通信端末機。
【請求項９】
前記第２装着部は、前記第１装着部の底面に備えられ、前記本体の内部と前記第１装着部とを連通させる開口部を含んでなることを特徴とする請求項５又は請求項６に記載の移動通信端末機。
【請求項１０】
前記バッテリパックは、前記第１装着部に嵌め込まれるスマートカードをカバーすることができるように、前記本体の前記一面に装着されることを特徴とする請求項５に記載の移動通信端末機。
【請求項１１】
前記スマートカードは、前記第１装着部に嵌め込まれたとき、前記第２装着部に嵌め込まれた前記メモリカードの少なくとも一部をカバーすることを特徴とする請求項５に記載の移動通信端末機。
【請求項１２】
前記第１装着部の上部に備えられ、前記第１装着部に嵌め込まれたスマートカードを固定する固定部材をさらに含んでなることを特徴とする請求項５、請求項６、そして請求項１０のうち何れかに記載の移動通信端末機。
【請求項１３】
前記固定部材は、前記第１装着部の上部を横切るように配置されたバーを含んでなることを特徴とする請求項１２に記載の移動通信端末機。
【請求項１４】
一面に備えられ、スマートカードが嵌め込まれる第１装着部と、前記第１装着部と並列に前記一面に備えられ、メモリカードが嵌め込まれる第２装着部とを含む本体；
前記本体に分離可能に装着されるバッテリパック；
前記本体の内部に備えられるメインボード；
前記第１装着部に露出され、前記スマートカードと接触する第１端子と、前記第１端子と並列に配置され、第２装着部に露出されて前記メモリカードと接触する第２端子とを含み、前記メインボードに実装されるカード装着ソケットを含んでなることを特徴とする移動通信端末機。
【請求項１５】
前記第１装着部は、前記本体の前記一面に凹むように形成された溝を含んでなることを特徴とする請求項１４に記載の移動通信端末機。
【請求項１６】
前記第２装着部は、前記本体の前記一面に凹むように形成された溝を含んでなることを特徴とする請求項１４又は請求項１５に記載の移動通信端末機。
【請求項１７】
前記第１装着部の深さは前記スマートカードの厚さと同一で、前記第２装着部の深さは前記メモリカードの厚さと同一であることを特徴とする請求項１５に記載の移動通信端末機。
【請求項１８】
前記バッテリーパックは、前記第１装着部に嵌め込まれたスマートカードと、前記第２装着部に嵌め込まれたメモリカードをカバーすることができるように前記本体の前記一面に装着されることを特徴とする請求項１４に記載の移動通信端末機。
【請求項１９】
前記第１装着部と前記第２装着部の上部にそれぞれ備えられ、前記第１装着部に嵌め込まれたスマートカードと、前記第２装着部に嵌め込まれたメモリカードとをそれぞれ固定する固定部材をさらに含んでなることを特徴とする請求項１４又は請求項１８に記載の移動通信端末機。
【請求項２０】
前記固定部材は、前記第１装着部の上部と、第２装着部の上部をそれぞれ横切るように配置されたバーを含んでなることを特徴とする請求項１９に記載の移動通信端末機。
【発明の詳細な説明】
【技術分野】
【０００１】
本発明は移動通信端末機に関し、特に移動通信端末機に二種類のカードを装着できるように構成された移動通信端末機のカード装着ソケット、およびこれを用いた移動通信端末機に関する。
【背景技術】
【０００２】
一般に、携帯電話およびＰＤＡなどの移動通信端末機は、技術発展に伴い、単純な音声情報のみを伝達するに留まらず、文字情報、画像情報、ゲームなどをユーザーに提供するに至った。そればかりでなく、最近は、移動通信端末機にＭＰ３ファイルなどのオーディオファイルが再生可能なオーディオプレーヤーの機能と、デジタル写真及び映像を撮影できるデジタルカメラの機能まで結合されている。したがって、このように用途がますます拡張されつつある移動通信端末機は、今や生活必需品として位置づけられるようになった。
【０００３】
上記のように、移動通信端末機の活用分野がさらに拡大されることにより、最近はスマートカードを伝統的なプラスチックカードの形態ではなく移動通信端末機(例えば、携帯電話機)に内装したり、着脱式で装着することで、スマートカードと移動通信端末機を機能的に統合させている。
【０００４】
スマートカードを移動通信端末機に結合させた具体的な例としては、図１に示したように、携帯電話機の本体１の後面などに備えられたカード装着ソケット２にスマートカード３を装着した一名、コマースフォン(Ｃｏｍｍｅｒｃｅ-Ｐｈｏｎｅ)が挙げられる。
【０００５】
このようなコマースフォンにおいては、内装されるスマートカードに各種の認証に関する情報、決裁のための信用カードに関する情報、通帳情報などを搭載することで、前記コマースフォンが共通カードや信用カードに使えるようにすることは勿論、口座照会、振り込み、出金、小切手の照会のような電子通帳としての機能も有するようにする。また、前記コマースフォンには赤外線通信のような近距離通信モジュールを適用することで、無線通信を介したスマートカードの決裁が実現可能となる。
【０００６】
前記スマートカードと移動通信端末機との統合は、移動通信端末機のローミングサービスを提供するために、スマートカードを加入者確認モジュールに使用する場合にも適用されており、加入者確認モジュールとしてのスマートカードとしては、例えば、ＳＩＭ(Subscriber  Identity  Module)カード、ＵＳＩＭ(Universal  Subscriber  Identity  Module)カード、ＵＩＭ(User  Identity  Module)カード、ＲＵＩＭ(Removable  User  Identity  Module)カードなどがある。
【０００７】
一方、携帯電話機を始めた移動通信端末機は、その機能が次第に多様化かつ拡大化されることによって要求される保存容量が次第に増大している。例えば、上記のように、画像を撮影及び保存できるデジタルカメラが備えられた携帯電話の場合、又はＭＰ３プレーヤーの機能が備えられた携帯電話機の場合、携帯電話機の有する固有の保存容量に加え、撮影した写真データ及びＭＰ３ファイルを保存するための多容量の追加メモリが必要とされる。
【０００８】
しかし、このような付加的な機能に必要な大容量のメモリのために、移動通信端末機の本体内に大容量のメモリを内装することは、端末機の価額を上昇させる要因となるばかりでなく、大容量のメモリが必要ないユーザーには浪費要素となる。
【０００９】
したがって、一般的には移動通信端末機に大容量のメモリを直接内装せず、図１に示したように、移動通信端末機の本体１に別途に備えられたメモリカード装着ソケット４を具備させ、ユーザーの移動通信端末機の使用様態によって好みに合わせて別途の拡張メモリカード５を選択的に装着して使用するようにしている。
【００１０】
参考までに、メモリカードは多様な形態で開発されており、主にフラッシュメモリを用いたカードの形態からなっている。例えば、保安デジタルカード（Secure  Digital  Card：ＳＤＣ）、メモリスチックカード（ＭＳＣ）、スマートメディアカード（ＳＭＣ）、コンパクトフラッシュ（登録商標）カード（ＣＦＣ）、マルチメディアカード（ＭＭＣ）などに標準化されて用いられている。
【００１１】
以上で説明したように、移動通信端末機の機能がさらに拡大され、多様化されることに伴い、移動通信端末機には各種のスマートカードの着脱のためのスマートカード装着ソケットと、メモリカードの着脱のためのメモリカード装着ソケットとが必要となり、ユーザーは本人の要求する機能に合うカードを該当カード装着ソケットに装着して使用するようになった。
【発明の開示】
【発明が解決しようとする課題】
【００１２】
しかしながら、移動通信端末機に互いに異なる２つのカード装着ソケット(スマートカード用、およびメモリカード用)を形成することは、同一の機能を行うものなら小型化を図る移動通信端末機の設計条件に好ましくなく、また、製造原価を上昇させる要因となるという問題点がある。
【００１３】
二つのカード装着ソケットの形成による小型化の困難化と製造原価の上昇を考慮すると、一つのカード装着ソケットのみを形成して、スマートカードとメモリカードを選択的に互換装着することが考えられる。しかし、スマートカードとメモリカードとを互換して装着できるようにカード装着ソケットを形成する場合には、スマートカードとメモリカードを選択的に使用できるだけで、全てを同時に使用することはできないという限界があった。
【００１４】
本発明は上記のような問題点を解決するために成されたもので、その目的は、二種類のカードを同時に装着できると共に占有空間が最小化されるようにカード装着ソケット、及び移動通信端末機の構造を改善することにある。
【課題を解決するための手段】
【００１５】
上記目的を達成するために、本発明の一形態では、移動通信端末機の本体のメインボードに実装されるソケットボディー；前記ソケットボディーの一面上に突出し、スマートカードと前記メインボードとを連結する第１端子；前記ソケットボディーの前記一面上に突出し、前記第１端子と離隔するように配置され、メモリカードと前記メインボードとを連結する第２端子を含んでなる移動通信端末機のカード装着ソケットを提供する。
【００１６】
ここで、前記第１端子と第２端子は、それぞれ移動通信端末機のバッテリパックが取り付けられる前記本体の一面に露出されることを特徴とする。
【００１７】
そして、前記第１端子と第２端子は、前記メモリカードが前記ソケットボディー上に装着され、前記スマートカードが前記メモリカードを覆った状態で前記ソケットボディー上に装着され得るように相互の距離が近く配置されるか、或いは前記メモリカードと前記スマートカードが前記ソケットボディー上に並列に装着され得るように相互の距離が遠く配置されることを特徴とする。
【００１８】
一方、本発明の他の一形態では、一面に備えられ、スマートカードが嵌め込まれる第１装着部、そして前記第１装着部と連通するように前記第１装着部の下に備えられ、メモリカードが嵌め込まれる第２装着部とを含む本体；前記本体に分離可能に装着されるバッテリパック；前記本体の内部に備えられるメインボード；前記第１装着部に露出され、前記スマートカードと接触する第１端子と、前記第２装着部に露出され、前記メモリカードと接触する第２端子とを含み、前記メインボードに実装されるカード装着ソケットを含んでなる移動通信端末機を提供する。
【００１９】
そして、本発明のまた他の一形態では、一面に備えられ、スマートカードが嵌め込まれる第１装着部と、前記第１装着部と並列に前記一面に備えられ、メモリカードが嵌め込まれる第２装着部とを含む本体；前記本体に分離可能に装着されるバッテリパック；前記本体の内部に備えられるメインボード；前記第１装着部に露出され、前記スマートカードと接触する第１端子と、前記第１端子と並列に配置され、第２装着部に露出されて前記メモリカードと接触する第２端子とを含み、前記メインボードに実装されるカード装着ソケットを含んでなる移動通信端末機を提供する。
【００２０】
上記目的を達成するために、本発明は、例えば、さらに以下を提供する。
（項目１）
移動通信端末機の本体のメインボードに実装されるソケットボディー；
前記ソケットボディーの一面上に突出し、スマートカードと前記メインボードとを連結する第１端子；
前記ソケットボディーの前記一面上に突出し、前記第１端子と離隔するように配置され、メモリカードと前記メインボードとを連結する第２端子を含んでなることを特徴とする移動通信端末機のカード装着ソケット。
（項目２）
前記第１端子と第２端子は、それぞれ移動通信端末機のバッテリパックが取り付けられる前記本体の一面に露出されることを特徴とする項目１に記載の移動通信端末機のカード装着ソケット。
（項目３）
前記第１端子と第２端子は、前記メモリカードが前記ソケットボディー上に装着され、前記スマートカードが前記メモリカードを覆った状態で前記ソケットボディー上に装着され得るように相互の距離が近く配置されることを特徴とする項目１に記載の移動通信端末機のカード装着ソケット。
（項目４）
前記第１端子と第２端子は、前記メモリカードと前記スマートカードが前記ソケットボディー上に並列に装着され得るように相互の距離が遠く配置されることを特徴とする項目１に記載の移動通信端末機のカード装着ソケット。
（項目５）
一面に備えられ、スマートカードが嵌め込まれる第１装着部、そして前記第１装着部と連通するように前記第１装着部の下に備えられ、メモリカードが嵌め込まれる第２装着部とを含む本体；
前記本体に分離可能に装着されるバッテリパック；
前記本体の内部に備えられるメインボード；
前記第１装着部に露出され、前記スマートカードと接触する第１端子と、前記第２装着部に露出され、前記メモリカードと接触する第２端子とを含み、前記メインボードに実装されるカード装着ソケットを含んでなることを特徴とする移動通信端末機。
（項目６）
前記第１装着部は、前記本体の前記一面に凹むように形成された溝を含んでなることを特徴とする項目５に記載の移動通信端末機。
（項目７）
前記第２装着部は、前記第１装着部の底面に凹むように形成された溝を含んでなることを特徴とする項目５又は項目６に記載の移動通信端末機。
（項目８）
前記第１装着部の深さは前記スマートカードの厚さと同一で、前記第２装着部の深さは前記メモリカードの厚さと同一であることを特徴とする項目７に記載の移動通信端末機。
（項目９）
前記第２装着部は、前記第１装着部の底面に備えられ、前記本体の内部と前記第１装着部とを連通させる開口部を含んでなることを特徴とする項目５又は項目６に記載の移動通信端末機。
（項目１０）
前記バッテリパックは、前記第１装着部に嵌め込まれるスマートカードをカバーすることができるように、前記本体の前記一面に装着されることを特徴とする項目５に記載の移動通信端末機。
（項目１１）
前記スマートカードは、前記第１装着部に嵌め込まれたとき、前記第２装着部に嵌め込まれた前記メモリカードの少なくとも一部をカバーすることを特徴とする項目５に記載の移動通信端末機。
（項目１２）
前記第１装着部の上部に備えられ、前記第１装着部に嵌め込まれたスマートカードを固定する固定部材をさらに含んでなることを特徴とする項目５、項目６、そして項目１０のうち何れかに記載の移動通信端末機。
（項目１３）
前記固定部材は、前記第１装着部の上部を横切るように配置されたバーを含んでなることを特徴とする項目１２に記載の移動通信端末機。
（項目１４）
一面に備えられ、スマートカードが嵌め込まれる第１装着部と、前記第１装着部と並列に前記一面に備えられ、メモリカードが嵌め込まれる第２装着部とを含む本体；
前記本体に分離可能に装着されるバッテリパック；
前記本体の内部に備えられるメインボード；
前記第１装着部に露出され、前記スマートカードと接触する第１端子と、前記第１端子と並列に配置され、第２装着部に露出されて前記メモリカードと接触する第２端子とを含み、前記メインボードに実装されるカード装着ソケットを含んでなることを特徴とする移動通信端末機。
（項目１５）
前記第１装着部は、前記本体の前記一面に凹むように形成された溝を含んでなることを特徴とする項目１４に記載の移動通信端末機。
（項目１６）
前記第２装着部は、前記本体の前記一面に凹むように形成された溝を含んでなることを特徴とする項目１４又は項目１５に記載の移動通信端末機。
（項目１７）
前記第１装着部の深さは前記スマートカードの厚さと同一で、前記第２装着部の深さは前記メモリカードの厚さと同一であることを特徴とする項目１５に記載の移動通信端末機。
（項目１８）
前記バッテリーパックは、前記第１装着部に嵌め込まれたスマートカードと、前記第２装着部に嵌め込まれたメモリカードをカバーすることができるように前記本体の前記一面に装着されることを特徴とする項目１４に記載の移動通信端末機。
（項目１９）
前記第１装着部と前記第２装着部の上部にそれぞれ備えられ、前記第１装着部に嵌め込まれたスマートカードと、前記第２装着部に嵌め込まれたメモリカードとをそれぞれ固定する固定部材をさらに含んでなることを特徴とする項目１４又は項目１８に記載の移動通信端末機。
（項目２０）
前記固定部材は、前記第１装着部の上部と、第２装着部の上部をそれぞれ横切るように配置されたバーを含んでなることを特徴とする項目１９に記載の移動通信端末機。
【発明の効果】
【００２１】
本発明によれば、二種類のカード、つまりスマートカードとメモリカードを一つのカード装着ソケットに同時に、又は何れか一方のみ装着することができる。よって、ユーザーは自分に必要なカードを共に一つのカード装着ソケットに搭載することができる。
【００２２】
前記カード装着ソケットの構造は非常に簡単なので、その占有空間が非常に小さく、安価の費用で容易に製造することができる。
【００２３】
また、前記スマートカードが嵌め込まれる第１装着部が溝を含み、前記メモリカードが嵌め込まれる第２装着部が溝又は開口部を含んでなっており、非常に簡単な構造を有するので、安価の費用で容易に製造することができる。
【００２４】
さらに、本発明の第１実施例によれば、前記メモリカードが嵌め込まれる第２装着部は、前記スマートカードが嵌め込まれる第１装着部の下に配置される。よって、前記スマートカードが前記メモリカードを覆った状態で前記カード装着ソケットに装着される。したがって、最小化された占有空間内で前記スマートカードと、前記メモリカードとを同時に前記カード装着ソケットに装着することができる。
【発明を実施するための最良の形態】
【００２５】
以下、本発明の好適な実施例について、添付の図面に基づいて詳細に説明する。
【００２６】
図２乃至図４ｂには、本発明の第１実施例に係る移動通信端末機、及びその内部に装着される本発明に係るカード装着ソケットの構造が良く示されている。
【００２７】
以下ではこれらの図面を参照して本発明の第１実施例について説明する。
【００２８】
図２を参照すると、移動通信端末機は、本体１０とバッテリパック２０は相互に分離可能に構成される。ここで、前記バッテリパック２０は、前記本体１０の一面、例えば後面に分離可能に装着される。
【００２９】
そして、前記本体１０には、図示してはいないが、スピカ（図示せず）、マイク（図示せず）、そして各種のキー及びボタン（図示せず）を含む信号入出力部（図示せず）とディスプレイ（図示せず）が備えられる。勿論、前記本体１０にはまたカメラモジュール（図示せず）のような付加装置がさらに装着されることもある。
【００３０】
前記本体１０の内部には、図３乃至図４ｂに示したように、前記信号入出力部及びディスプレイと電気的に連結されたメインボード１５が備えられる。前記メインボード１５には、制御部（図示せず）、内装メモリ（図示せず）、そして移動通信信号処理部などが備えられる。ここで、前記移動通信信号処理部は、前記信号入出力部を介して入力された情報、及び前記内装メモリに保存された情報を処理して送信する送信信号処理部（図示せず）と、外部から電波を受信して処理する受信信号処理部（図示せず）とを含む。
【００３１】
上記のように本体１０に備えられる信号入出力部、ディスプレイ、カメラモジュール、制御部、内装メモリ、そして移動通信信号処理部などの構成は、通常の移動通信端末機に備えられるものと大同小異なので更なる説明は省略する。
【００３２】
一方、前記メインボード１５には、図３乃至図４ｂに示したように、本発明に係るカード装着ソケット１００が実装される。前記カード装着ソケット１００には、スマートカード３００と外装メモリカード２００（以下、メモリ）が同時に前記本体１０の外部から搭載される。勿論、前記カード装着ソケット１００に搭載されるスマートカード３００とメモリカード２００は、前記本体１０から分離されることもできる。
【００３３】
以下では前記メインボード１５に実装される本発明に係るカード装着ソケット１００の構造、そして前記スマートカード３００とメモリカード２００が小さい占有空間を占めながら前記カード装着ソケット１００に搭載され得るように改善された本体１０の構造について図２乃至図４ｂを参照して詳細に説明する。
【００３４】
まず、図３を参照すると、前記カード装着ソケット１００には、前記スマートカード３００と、前記メモリカード２００にそれぞれ接触する第１端子１１０及び第２端子１２０が備えられる。そして、これらの第１端子１１０及び第２端子１２０を支持するハウジングの役割をするように前記カード装着ソケット１００にはソケットボディー１０１がさらに備えられる。
【００３５】
ここで、前記ソケットボディー１０１は、図３乃至図４ｂに示したように、前記メインボード１５に実装される。そして、前記第１端子１１０は、前記ソケットボディー１０１の一面、例えば、上面上に突出し、前記第２端子１２０は、前記第１端子１１０が突出したソケットボディー１０１の一面、つまり上面上に突出する。ここで、前記第１端子１１０と第２端子１２０はそれぞれ所定の距離離隔し、例えば、図３に示したように、相互に並列に配置される。上記のように備えられた第１端子１１０と第２端子１２０は、それぞれ前記本体１０の外部の一面、例えば前記バッテリパック２０が取り付けられる本体１０の後面に露出される。
【００３６】
一方、スマートカード３００が加入者確認モジュールとして本体１０に搭載される場合、例えば、ＳＩＭ(Subscriber  Identity  Module)カード、ＵＳＩＭ(Universal  Subscriber  Identity  Module)、ＵＩＭ(User  Identity  Module)カード、ＲＵＩＭ(Removable  User  Identity  Module)カードなどで本体１０に搭載される場合、前記スマートカード３００は、通信社の間で合議された、標準化された規格で製作されている。
【００３７】
したがって、前記スマートカード３００の大きさ、そしてスマートカード３００の一面に配置された接触端子３１０の数と位置などは、標準化された規格によって製作される。
したがって、前記スマートカード３００の接触端子３１０と接触する第１端子１１０の数及び位置もまた標準化された規格によって製作される。
【００３８】
反面、フラッシュメモリを用いたカードの形態からなった前記メモリカード２００は、一つの単一の標準にて製作されるよりは、例えば、保安デジタルカード（ＳＤＣ）、メモリスチックカード（ＭＳＣ）、スマートメディアカード（ＳＭＣ）、コンパクトフラッシュ（登録商標）カード（ＣＦＣ）、マルチメディアカード（ＭＭＣ）などにそれぞれ標準化されて用いられている。
【００３９】
したがって、その大きさ、そして接触端子２２０の数及び位置は、各標準ごとに互いに異なる。したがって、前記第２端子１２０は、一つの標準化された規格で提供されなければならない前記第１端子１１０とは異なって、設計上の便宜によって、そして選択されたメモリカード２００の標準によってその位置及び数が異なって提供される。即ち、設計上の便宜のために、前記カード装着ソケット１００に搭載され得るメモリカード２００を様々な標準の中で適当な何れかを選択し、選択された標準に合わせて第２端子１２０を設計することができる。
【００４０】
一方、本発明の第１実施例において、前記ソケットボディー１０１の幅及び長さは、図３に示したように、前記スマートカード３００の幅及び長さと大略同一である。したがって、図３に示したように、前記ソケットボディー１０１に前記スマートカード３００と、前記メモリカード２００とが同時に搭載され得るようにするために、大きさの小さいメモリカード２００が先にソケットボディー１０１に搭載され、大きいスマートカード３００が前記メモリカード２００を覆いながら前記ソケットボディー１０１に搭載される。
【００４１】
このために、前記スマートカード３００の接触端子３１０と接触する第１端子１１０と、前記メモリカード２００の接触端子２００と接触する第２端子１２０は、相互に距離が比較的近く配置される。
【００４２】
一方、前記本体１０には、前記カード装着ソケット１００に前記スマートカード３００と、前記メモリカード２００とが同時に実装され得るように、第１装着部と第２装着部がそれぞれ備えられる。ここで、本発明の第１実施例によれば、前記第１装着部と第２装着部は、上述したように、ソケットボディー１０１上にメモリカード２００が先に搭載され、前記メモリカード２００を覆った状態で前記スマートカード３００が前記ソケットボディー１０１に搭載され得るように独特な構造を有する。
【００４３】
以下では図２、図３ａ、そして図３ｂを参照して、より詳細に説明する。
まず、前記第１装着部は前記スマートカード３００が嵌め込まれる部分で、前記本体１０の一面、例えば図２に示したように前記バッテリパック２０が取り付けられる本体１０の後面に備えられる。
【００４４】
このような第１装着部は、例えば図２に示したように、前記本体１０の後面に凹んで形成された溝（以下、第１装着溝１１）を含んでなる。ここで、前記第１装着溝１１は、その形状が前記スマートカード３００と同じで、その幅と長さは前記スマートカード３００と同じか、やや大きく形成される。また、前記第１装着部、つまり前記第１装着溝１１の深さは、前記スマートカード３００の厚さと同じか、それよりやや深いことが好ましい。
【００４５】
そして、前記第１装着部、つまり前記第１装着溝１１には、前記カード装着ソケット１００の第１端子１１０が露出される。より詳細に説明すると、前記第１端子１１０は、図２に示したように、前記第１装着部、つまり前記第１装着溝１１の底面を貫通して、本体１０の外部に露出される。このために、前記本体１０には、図４ａに示したように、前記第１端子１１０が貫通するホール１０ａが形成される。
【００４６】
したがって、前記スマートカード３００が前記第１装着部、つまり前記第１装着溝１１に嵌め込まれると、前記スマートカード３００の接触端子３１０と、前記カード装着ソケット１００の第１端子１１０とは互いに接触し、前記メインボード１５と前記スマートカード３００とは電気的に連結される。
【００４７】
一方、前記第２装着部は前記メモリカード２００が嵌め込まれる部分で、前記第１装着部の下部に前記第１装着部と連通するように備えられる。このような第２装着部は、図２及び図４に示したように溝（以下、第２装着溝１２）を含んでなるか、図４ｂに示したように、開口部１０ｃを含んでなる。
【００４８】
まず、前記第２装着部が前記第２装着溝１２を含んでなる場合について図２及び図４ａを参照して説明する。
【００４９】
図２に示したように、前記第２装着溝１２は、前記第１装着部、つまり前記第１装着溝１１の底面に凹むように形成される。ここで前記第２装着溝１２は、その形状が前記メモリカード２００と同じで、その幅と長さは前記メモリカード２００と同じか、やや大きく形成される。そして、前記第２装着部、つまり前記第２装着溝１２の深さは前記メモリカード２００の厚さと同じか、それよりやや深いことが好ましい。
【００５０】
参考までに、図２には前記第２装着溝１２の幅が前記第１装着溝１１の幅と同一である例が示されている。しかし、前記第２装着溝１２は、前記メモリカード２００の大きさによって前記第１装着溝１１の幅より小さいか、やや大きく形成されることもできる。
【００５１】
上記のように形成された第２装着部、つまり前記第２装着溝１２には、前記カード装着ソケット１００の第２端子１２０が露出される。より詳細に説明すると、前記第２端子１２０は、図２に示したように、前記第２装着部、つまり前記第２装着溝１２の底面を貫通して本体１０の外部に露出される。このために、前記本体１０には、図４ａに示したように、前記第２端子１２０が貫通するホール１０ｂが形成される。
【００５２】
したがって、前記メモリカード２００が前記第２装着部、つまり前記第２装着溝１２に嵌め込まれると、前記メモリカード２００の接触端子２２０と、前記カード装着ソケット１００の第２端子１２０とは互いに接触し、前記メインボード１５と前記メモリカード２００とは電気的に連結される。
【００５３】
次に、前記第２装着部が前記開口部１０ｃを含んでなる場合について図４ｂを参照して説明する。参考までに、前記開口部１０ｃは、前記図２及び図４ａを参照して説明された第２装着溝１２と同じ位置、同じ形状で形成されるので、これについての反復する説明は省略する。
【００５４】
図４ｂを参照すると、前記第２装着部として備えられる前記開口部１０ｃは、図４ｂに示したように、前記本体１０を貫通するように形成される。したがって、前記開口部１０ｃは、前記第１装着部、つまり前記第１装着溝１１と前記メインボード１５とが備えられた前記本体１０の内部を連通させる。
【００５５】
上記のように備えられた開口部１０ｃには、図４ｂに示したように、前記メモリカード２００が嵌め込まれる。この際、弾力を有した前記第２端子１２０が前記メモリカード２００を上方に押し上げながら支持しており、前記メモリカード２００上の前記スマートカード３００によって前記メモリカード２００は前記第２装着部に安定的に嵌め込まれることができる。
【００５６】
しかし、前記第２装着部、つまり前記開口部１０ｃの下部に落ちて前記本体１０の内部に入ることをより効果的に防止するためには、図示してはいないが、前記開口部１０ｃの周辺の本体１０の内面で突起がやや突出して、前記メモリカード２００の下面の周縁の一部を支持するようにすることもできる。
【００５７】
一方、上述したように、前記第１装着部及び第２装着部は、前記本体１０の一面、例えば後面に備えられ、前記バッテリパック２０は、前記本体１０の後面に結合される。したがって、前記第１装着部及び第２装着部にスマートカード３００とメモリカード２００が嵌め込まれた状態で前記バッテリパック２０が前記本体１０に結合されると、前記バッテリパック２０は、前記スマートカード３００をカバーする。勿論、前記図４ａ及び図４ｂに示したように、前記スマートカード３００は前記メモリカード２００をカバーする。
【００５８】
したがって、前記メモリカード２００、スマートカード３００はこれらを固定するための別途の部材がなくとも、前記バッテリパック２０と、前記本体１０の間に嵌め込まれて固定される。
【００５９】
しかし、これらをより確実に固定し、接触不良及び誤作動を防止するために、本発明では図２に示したように、固定部材１３、１４がさらに備えられ得る。
【００６０】
ここで、前記固定部材１３、１４は、図２に示したように、前記第１装着部、つまり前記第１装着溝１１の上部に備えられ、前記第１装着部、つまり前記第１装着溝１１に嵌め込まれたスマートカード３００の上面を押して固定する。
【００６１】
このような固定部材１３、１４は、例えば図２に示したように、前記第１装着部、つまり前記第１装着溝１１の上部を横切るように配置されたバーを含んでなる。ここで、前記固定部材１３、１４は、前記スマートカード３００が容易に嵌め込まれるように、前記第１装着部、つまり前記第１装着溝１１の長さ方向よりは幅方向に配置されるように形成されることが好ましい。
【００６２】
参考までに、図２には２つの固定部材１３、１４がそれぞれ幅方向を横切るように配置され、これらが互いに前記第１装着溝１１の長さ方向に沿って所定の間隔離隔して配置された例が示されている。そして、この場合、何れか一方の固定部材１４は、前記第２装着部の上方に配置されるように形成される。
【００６３】
一方、前記固定部材１３、１４は、バーではなく他の形態で構成されることもできる。
例えば、前記固定部材１３、１４は、前記第１装着部、つまり前記第１装着溝１１の上部に幅方向にやや突出した突出部で構成されることもできる。すると、前記突出部が前記スマートカードの両側の周縁を押して固定するようになるので、前記スマートカード３００が安定的に固定されることができる。
【００６４】
上記したように固定部材１３、１４が備えられると、前記スマートカード３００及び前記メモリカード２００は、前記本体１０に密着された状態で滑りながら前記第１装着部と第２装着部にそれぞれ嵌め込まれる。したがって、前記スマートカード３００及び前記メモリカード２００の嵌め込みや分離がより容易に行われ得るように、前記第１装着部、つまり前記第１装着溝１１の壁面の上部、そして前記第２装着部、つまり前記第２装着溝１２又は前記開口部１０ｃの壁面の上部は、図示してはいないが、それぞれ傾斜したり、或いは丸みを有するように形成されることが好ましい。
【００６５】
上記のように構成された第１装着部と第２装着部が本体１０に備えられると、前記スマートカード３００と前記メモリカード２００とは同時に前記カード装着ソケット１００に搭載され得るばかりでなく、最小化された占有空間内で搭載されることができる。
【００６６】
以下、これについてより詳細に説明する。
【００６７】
まず、前記メモリカード２００と前記スマートカード３００とを同時にカード装着ソケット１００に搭載する場合を説明する。この場合、前記メモリカード２００を前記第２装着部、つまり前記第２装着溝１２又は前記開口部１０ｃに先に挿入する。前記メモリカード２００が前記第２装着溝１２又は前記開口部１０ｃに挿入されると、前記メモリカード２００の上面は前記第１装着部、つまり前記第１装着溝１１の底面と同じ面を形成する。
【００６８】
このような状態で、前記スマートカード３００を前記第１装着溝１１に嵌め込む。すると、図３乃至図４ｂに示したように、前記スマートカード３００が前記メモリカード２００をカバーする。この際、前記メモリカード２００が嵌め込まれた前記第２装着溝１２又は前記開口部１０ｃの幅が前記第１装着溝１１の幅より大きく形成された場合には、前記スマートカード３００は前記メモリカード２００の一部をカバーする。
【００６９】
しかし、図２に示したように、前記第２装着溝１２又は前記開口部１０ｃが前記第１装着溝１１と同じ幅、或いはそれより小さい幅を有する場合、前記スマートカード３００は前記メモリカード２００を全部カバーする。
【００７０】
上述したように、前記スマートカード３００が前記第１装着溝１１に嵌め込まれ、前記メモリカード２００の少なくとも一部をカバーした状態で、図２に示したように、バッテリパック２０を前記本体１０の後面に取り付ける。すると、前記バッテリパック２０が前記スマートカード３００をカバーしながら押し、前記スマートカード３００が前記メモリカード２００を押すので、前記スマートカード３００とメモリカード２００は、前記第１装着溝１１と前記第２装着溝１２、又は開口部１０ｃに安定的に搭載される。
【００７１】
一方、前記固定部材１３、１４が備えられた場合には、前記スマートカード３００と前記メモリカード２００は前記固定部材１３、１４によって安定的に固定される。したがって、この場合、前記バッテリパック２０は、前記スマートカード３００を押して固定するよりは単純にカバーする役割を果す。このような役割をする固定部材１３、１４が備えられることが安定性及び信頼性の面で好ましい。
【００７２】
上記では前記カード装着ソケット１００に前記メモリカード２００と、前記スマートカード３００とが共に搭載される例を説明した。しかし、前記カード装着ソケット１００には、メモリカード２００とスマートカード３００のうち、何れか一方のみ搭載されることもできる。この場合について簡略に説明する。
【００７３】
まず、スマートカード３００のみ搭載される場合を説明する。この場合、前記第２装着溝１２又は前記開口部１０ｃが空いている状態で前記スマートカード３００が前記第１装着溝１１に嵌め込まれる。この際、前記第１装着溝１１の底面の面積は前記スマートカード３００を支持するのに充分なので、前記スマートカード３００は安定的に前記第１装着溝１１に嵌め込まれて固定される。しかし、より安定的に搭載するためには、前記メモリカード２００と同じ形状を有するように製作された板材を前記第２装着溝１２又は開口部１０ｃに嵌め込んだ後、前記スマートカード３００を装着する。
【００７４】
次に、メモリカード２００のみ搭載される場合、前記第２装着溝１２又は前記開口部１０ｃに前記メモリカード２００を嵌め込むと、前記メモリカード２００の上面は前記第１装着溝１１の底面と同じ面を形成する。したがって、前記メモリカード２００を安定的に前記第２装着溝１２又は前記開口部１０ｃに搭載しにくい。
【００７５】
したがって、前記スマートカード３００と同じ形状を有するように製作された板材を前記第１装着溝１１に嵌め込み、固定すると、前記メモリカード２００が前記カード装着ソケット１００に安定的に装着される。
【００７６】
一方、図５乃至図７には、本発明の第２実施例に係る移動通信端末機、及びこれに実装される本発明に係るカード装着ソケット１００が図示されている。これらの図面に示したように、本発明の第２実施例で前記カード装着ソケット１００は、図２乃至図４ｂを参照して説明されたそれと大同小異の構造を有する。
【００７７】
但し、第２実施例で前記メモリカード２００と前記スマート３００は、相互に並列に配置された状態で前記カード装着ソケット１００に搭載される点が異なる。
【００７８】
以下ではかかる構造を有する本発明の第２実施例について図５乃至図７を参照してより詳細に説明する。参考までに、第１実施例で説明されたような構成要素については説明を省略し、以下では相違点を中心に説明する。
【００７９】
図５及び図６を参照すると、前記メモリカード２００と前記スマートカード３００は並列に配置され、カード装着ソケット１００、つまり前記ソケットボディー１０１上に搭載される。このために、前記カード装着ソケット１００の第１端子１１０と第２端子１２０は、相互の距離が遠く配置される。そして、前記第１端子１１０が露出される第１装着部、つまり第１装着溝１１と、前記第２端子１２０が露出される第２装着部、つまり第２装着溝１２は、前記本体１０の一面、例えば前記バッテリパック２０が取り付けられる後面に相互に並列に配置される。参考までに、第２実施例では第１実施例とは異なって、第２装着部として開口部が備えられない。
【００８０】
ところが、占有空間を最小化するために、前記第１端子１１０と第２端子１２０は充分に離れて配置されるが、前記スマートカード３００と、前記メモリカード２００とが互いに重ならないほどでだけ離隔するように配置される。したがって、前記第１装着溝１１と第２装着溝１２は互いに隣接した位置に並列に配置されることが好ましい。
【００８１】
一方、第２実施例で、前記第１装着部として備えられる第１装着溝１１、そして前記第２装着部として備えられる第２装着溝１２の深さは、それぞれ前記スマートカード３００の厚さ、そして前記メモリカード２００の厚さと同じか、それよりやや大きいことが好ましい。
【００８２】
そして、図５及び図７に示したように、前記バッテリパック２０は、前記第１装着部、つまり前記第１装着溝１１に嵌め込まれたスマートカード３００、そして前記第２装着部、つまり前記第２装着溝１２に嵌め込まれたメモリカード２００をそれぞれカバーすることができるように前記本体１０の一面、つまり後面に装着される。
【００８３】
さらに、本発明の第２実施例では、図５及び図７に示したように、固定部材１３、１４がさらに備えられ得る。ここで、前記固定部材１３、１４は、それぞれ前記第１装着部、つまり前記第１装着溝１１と、前記第２装着部、つまり前記第２装着溝１２の上部に備えられ、前記スマートカード３００と前記メモリカード２００をそれぞれ押して固定する。
【００８４】
このような固定部材１３、１４は、図５に示したように、前記第１装着部、つまり前記第１装着溝１１の上部と、第２装着部、つまり前記第２装着溝１２の上部を例えば幅方向に横切るように配置されたバーを含んでなる。
【００８５】
一方、これに限らず、前記固定部材１３、１４は、第１実施例で説明されたように、前記第１装着溝１１又は第２装着溝１２の上部でこれらの幅方向に突出した突出部で構成されることもできる。
【００８６】
上記で幾つかの実施例を説明したが、本発明がその趣旨及び範疇から外れない限り、他に様々な形態で具体化され得ることは該当技術に通常の知識を有するものには自明なことであろう。したがって、上述した実施例は制限的なものでなく例示的なものに認められるべきで、添付の請求項及びその同等範囲内の全ての実施例は本発明の範疇内に含まれる。以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。本明細書において引用した特許、特許出願および文献は、その内容自体が具体的に本明細書に記載されているのと同様にその内容が本明細書に対する参考として援用されるべきであることが理解される。
【図面の簡単な説明】
【００８７】
【図１】従来の移動通信端末機を示す分離斜視図である。
【図２】本発明の第１実施例に係る移動通信端末機を示す分離斜視図である。
【図３】図２のカード装着ソケットとメモリカード、及びスマートカードを簡略に示す分離斜視図である。
【図４ａ】それぞれ図２のカード装着ソケットにメモリカード及びスマートカードが結合された形態を簡略に示す部分断面図である。
【図４ｂ】それぞれ図２のカード装着ソケットにメモリカード及びスマートカードが結合された形態を簡略に示す部分断面図である。
【図５】本発明の第２実施例に係る移動通信端末機を示す分離斜視図である。
【図６】図５のカード装着ソケットとメモリカード、及びスマートカードを簡略に示す分離斜視図である。
【図７】図５のカード装着ソケットにメモリカード及びスマートカードが結合された形態を簡略に示す部分断面図である。
【符号の説明】
【００８８】
１０  本体
１１  第１装着溝
１２  第２装着溝
１３、１４  固定部材
１５  メインボード
２０  バッテリパック
１００  カード装着ソケット
１０１  ソケットボディー
１１０  第１端子
１２０  第２端子
２００  メモリカード
３００  スマートカード
【図１】
2006059344.tif 000003
【図２】
2006059344.tif 000004
【図３】
2006059344.tif 000005
【図４ａ】
2006059344.tif 000006
【図４ｂ】
2006059344.tif 000007
【図５】
2006059344.tif 000008
【図６】
2006059344.tif 000009
【図７】
2006059344.tif 000010